(57)【要約】【課題】低コストで構成され、ユーザの嗜好に合致した行動範囲内にある店舗の情報を得ることができ、さらにその店舗の方位を特定し、ユーザをその場所まで誘導できる店舗誘導システムを提供する。【解決手段】  店舗誘導システム１００において、情報発信装置１０１は、店舗のＩＤと、該店舗が属するジャンル情報とを含む店舗情報を繰り返し送信する。携帯端末装置１０２は、ユーザが入力した嗜好情報を店舗ジャンルに変換して保存し、店舗情報を受信する際に、受信した店舗情報に含まれる店舗ジャンル情報と、保存している店舗ジャンル情報と一致するかを判別し、受信した店舗情報に含まれる店舗ジャンル情報が保存している店舗ジャンル情報と一致した場合、アラームを動作させると共に該店舗情報を画面上に表示することで、入力した嗜好情報に関連する店舗の店舗情報をユーザに知らせ、さらにその方位を特定できる。【選択図】        図１
2005222407.tif 000002
【特許請求の範囲】
【請求項１】
無線信号で情報を発信する情報発信装置において、
店舗の固有のＩＤと、該店舗が属するジャンル情報とを含む店舗情報を入力する店舗情報入力手段と、
上記店舗情報入力手段により入力された上記店舗情報を格納する店舗情報格納手段と、
上記店舗情報格納手段に格納される上記店舗情報を繰り返し送信する送信手段と
を備えることを特徴とする情報発信装置。
【請求項２】
上記店舗情報入力手段により入力された上記店舗情報を表示する表示手段をさらに有する
ことを特徴とする請求項１に記載の情報発信装置。
【請求項３】
ユーザの嗜好情報を入力する嗜好情報入力手段と、
上記嗜好情報入力手段で入力された上記嗜好情報を店舗ジャンル情報に変換する変換手段と、
上記変換手段により得られた店舗ジャンル情報を保存する保存手段と、
店舗から送出される店舗情報を受信する店舗情報受信手段と、
上記店舗情報受信手段により受信した店舗情報に含まれる店舗ジャンル情報と、上記保存手段に保存している店舗ジャンル情報と一致するかを判別する判別手段と、
上記判別手段により、受信した店舗情報に含まれる店舗ジャンル情報が上記保存手段に保存している店舗ジャンル情報と一致したと判断される場合、該店舗情報を表示する表示手段と
を備えることを特徴とする携帯端末装置。
【請求項４】
上記変換手段は、入力された上記嗜好情報から関連する店舗ジャンル情報に変換するための更新可能な変換テーブルを有する
ことを特徴とする請求項３に記載の携帯端末装置。
【請求項５】
上記判別手段の判別結果に基づいて、一致した店舗ジャンル情報が存在する場合、その旨を報知するアラーム手段をさらに備える
ことを特徴とする請求項３に記載の携帯端末装置。
【請求項６】
上記判別手段により、受信した店舗情報に含まれる店舗ジャンル情報が上記保存手段に保存している店舗ジャンル情報と一致したと判断される場合、該店舗情報を蓄積する店舗情報蓄積手段をさらに備える
ことを特徴とする請求項３に記載の携帯端末装置。
【請求項７】
店舗からの無線信号を受信している場合、その電波の到来方向を割り出せる方向探知手段と、
上記方向探知手段により得られた電波の到来方向を表示する方向表示手段とをさらに備える
ことを特徴とする請求項３に記載の携帯端末装置。
【請求項８】
上記方向探知手段は、ジャイロコンパスが使用され、受信した無線信号のレベルとジャイロコンパスが観測した方向と関連付けて、上記店舗の方位を確定する
ことを特徴とする請求項７に記載の携帯端末装置。
【請求項９】
上記方向表示手段は、矢印で上記店舗の方位を表示し、
上記矢印の長さは上記店舗情報の受信強度レベルを表す
ことを特徴とする請求項７に記載の携帯端末装置。
【請求項１０】
店舗情報受信手段は、無指向性アンテナと、指向性アンテナと、上記無指向性アンテナと指向性アンテナを切り換える切り換え手段とを備え、
上記店舗情報を受信するとき、上記切り換え手段は上記無指向性アンテナ側に切り換えられ、
上記方向探知手段により上記店舗の方位を探知するとき、上記切り換え手段は上記指向性アンテナ側に切り換えられる
ことを特徴とする請求項３に記載の携帯端末装置。
【請求項１１】
店舗情報を無線信号で発信する情報発信装置と、上記店舗情報を受信する携帯端末装置とを有する店舗誘導システムであって、
上記情報発信装置は、
店舗の固有のＩＤと、該店舗が属するジャンル情報とを含む店舗情報を入力する店舗情報入力手段と、
上記店舗情報入力手段により入力された上記店舗情報を格納する店舗情報格納手段と、
上記店舗情報格納手段に格納される上記店舗情報を繰り返し送信する送信手段とを備え、
上記携帯端末装置は、
ユーザの嗜好情報を入力する嗜好情報入力手段と、
上記嗜好情報入力手段で入力された上記嗜好情報を店舗ジャンル情報に変換する変換手段と、
上記変換手段により得られた店舗ジャンル情報を保存する保存手段と、
店舗から送出される店舗情報を受信する店舗情報受信手段と、
上記店舗情報受信手段により受信した店舗情報に含まれる店舗ジャンル情報と、上記保存手段に保存している店舗ジャンル情報と一致するかを判別する判別手段と、
上記判別手段により、受信した店舗情報に含まれる店舗ジャンル情報が上記保存手段に保存している店舗ジャンル情報と一致したと判断される場合、該店舗情報を表示する表示手段とを備える
ことを特徴とする店舗誘導システム。
【請求項１２】
上記変換手段は、入力された上記嗜好情報から関連する店舗ジャンル情報に変換するための更新可能な変換テーブルを有る
ことを特徴とする請求項１１に記載の店舗誘導システム。
【請求項１３】
上記判別手段の判別結果に基づいて、一致した店舗ジャンル情報が存在する場合、その旨を報知するアラーム手段をさらに備える
ことを特徴とする請求項１１に記載の店舗誘導システム。
【請求項１４】
上記判別手段により、受信した店舗情報に含まれる店舗ジャンル情報が上記保存手段に保存している店舗ジャンル情報と一致したと判断される場合、該店舗情報を蓄積する店舗情報蓄積手段をさらに備える
ことを特徴とする請求項１１に記載の店舗誘導システム。
【請求項１５】
店舗からの無線信号を受信している場合、その電波の到来方向を割り出せる方向探知手段と、
上記方向探知手段により得られた電波の到来方向を表示する方向表示手段とをさらに備える
ことを特徴とする請求項１１に記載の店舗誘導システム。
【請求項１６】
上記方向探知手段は、ジャイロコンパスが使用され、受信した無線信号のレベルとジャイロコンパスが観測した方向と関連付けて、上記店舗の方位を確定する
ことを特徴とする請求項１１に記載の店舗誘導システム。
【請求項１７】
上記方向表示手段は、矢印で上記店舗の方位を表示し、
上記矢印の長さは上記店舗情報の受信強度レベルを表す
ことを特徴とする請求項１１に記載の店舗誘導システム。
【請求項１８】
店舗情報受信手段は、無指向性アンテナと、指向性アンテナと、上記無指向性アンテナと指向性アンテナを切り換える切り換え手段とを備え、
上記店舗情報を受信するとき、上記切り換え手段は上記無指向性アンテナ側に切り換えられ、
上記方向探知手段により上記店舗の方位を探知するとき、上記切り換え手段は上記指向性アンテナ側に切り換えられる
ことを特徴とする請求項１１に記載の店舗誘導システム。
【発明の詳細な説明】
【技術分野】
【０００１】
この発明は、無線通信により店舗情報を取得し、ユーザを店舗まで誘導するための情報発信装置、携帯端末装置および店舗誘導システムに関する。詳しくは、情報発信装置は店舗情報を繰り返し送信し、ユーザが所持する携帯端末装置は店舗情報を受信し、ユーザが事前に入力した嗜好情報から、ユーザが興味を持ちそうな店舗ジャンルを割り出し、受信した店舗情報に含まれる店舗ジャンル情報と、保存している店舗ジャンル情報と一致するかを判別し、受信した店舗情報に含まれる店舗ジャンル情報が保存している店舗ジャンル情報と一致した場合、その店舗情報をユーザに知らせる構成とすることによって、ユーザは嗜好情報を入力するだけで、この嗜好情報に関連した行動範囲内にある店舗の情報を得ることができるようにした店舗誘導システム等に係るものである。
【背景技術】
【０００２】
従来、利用者がその行動する地域の店舗情報を得ようとするとき、情報誌や広告、電子情報としてはインターネットの地域情報サイトやメールサービス等を利用する方法がある。
【０００３】
例えば電子情報で地域に密着した情報を得る地域情報提供システムが提案されている（例えば、特許文献１参照）。
【０００４】
この場合、インターネットサイト上に提示すべき情報を持ち、販売等のサービスを行う店舗等が所在する場所の近隣に配置された情報提供装置に利用者が接近して、この情報提供装置から該インターネットサイトへのＵＲＬ等のデータを得て、該データを利用して携帯端末にインターネット上の詳細な情報を提示することで、インターネットにアクセス可能な可搬端末を携帯する利用者が現在所在する地点近隣で該利用者が直接サービスを利用することが可能な情報を与える。
【０００５】
また、携帯移動情報端末のユーザに地域情報を配信するサーバーシステムが提案されている（例えば、特許文献２参照）。
【０００６】
この場合、携帯移動情報端末がその位置情報をサーバーシステムに自律的に送信し、サーバーシステムではその位置情報を個々の登録ユーザ情報からなる登録者データベースと連携管理し且つ情報提供業者から提供される配信情報もその位置情報に基づく情報配信先選択条件とする。
【０００７】
このように、情報配信依頼があった場合に、登録した端末ユーザの嗜好等に加えて現に在圏する位置情報も配信対象者選定の判断に使用されるため、そのエリアに密着した告知効果の高い情報配信が可能となる。
【０００８】
【特許文献１】特開２００２−１０９３５６号公報（第８頁、第２図）
【特許文献２】特開２００２−２１６０２１号公報（第９頁、第１図）
【発明の開示】
【発明が解決しようとする課題】
【０００９】
上述した従来の情報入手方法は、情報提供装置から受信される情報が必ずしも自分の行動エリア内にあるとは限らず、また、もたらされる情報は自分の嗜好に合わない情報も含んでいることがある。ユーザはその中から興味のある利用できる情報のみを検索するのに苦労を伴い、一方でその店舗の所在情報が不十分でその場所に辿り着けない可能性もあった。さらにインターネットを使用して情報を収集する方法は、インターネットに接続する為のインフラの配備、またその維持にコストを要するという問題も有る。
【００１０】
そこで、この発明は、低コストで構成され、ユーザの嗜好に合致した行動範囲内にある店舗の情報を得ることができ、さらにその店舗の方位を特定し、ユーザをその場所まで誘導できるようにした情報発信装置、携帯端末装置および店舗誘導システムを提供することを目的とする。
【課題を解決するための手段】
【００１１】
この発明に係る情報発信装置は、無線信号で情報を発信する情報発信装置において、店舗の固有のＩＤと、該店舗が属するジャンル情報とを含む店舗情報を入力する店舗情報入力手段と、該店舗情報入力手段により入力された店舗情報を格納する店舗情報格納手段と、該店舗情報格納手段に格納される上記店舗情報を繰り返し送信する送信手段とを備えるものである。
【００１２】
この発明に係る携帯端末装置は、ユーザの嗜好情報を入力する嗜好情報入力手段と、該嗜好情報入力手段で入力された嗜好情報を店舗ジャンル情報に変換する変換手段と、該変換手段により得られた店舗ジャンル情報を保存する保存手段と、店舗から送出される店舗情報を受信する店舗情報受信手段と、該店舗情報受信手段により受信した店舗情報に含まれる店舗ジャンル情報と、保存手段に保存している店舗ジャンル情報と一致するかを判別する判別手段と、該判別手段により、受信した店舗情報に含まれる店舗ジャンル情報が保存手段に保存している店舗ジャンル情報と一致したと判断される場合、該店舗情報を表示する表示手段とを備えるものである。
【００１３】
この発明に係る店舗誘導システムは、店舗情報を無線信号で発信する情報発信装置と、店舗情報を受信する携帯端末装置とを有する店舗誘導システムであって、情報発信装置は、店舗の固有のＩＤと、該店舗が属するジャンル情報とを含む店舗情報を入力する店舗情報入力手段と、該店舗情報入力手段により入力された店舗情報を格納する店舗情報格納手段と、該店舗情報格納手段に格納される上記店舗情報を繰り返し送信する送信手段とを備え、携帯端末装置は、ユーザの嗜好情報を入力する嗜好情報入力手段と、該嗜好情報入力手段で入力された嗜好情報を店舗ジャンル情報に変換する変換手段と、変換手段により得られた店舗ジャンル情報を保存する保存手段と、店舗から送出される店舗情報を受信する店舗情報受信手段と、該店舗情報受信手段により受信した店舗情報に含まれる店舗ジャンル情報と、保存手段に保存している店舗ジャンル情報と一致するかを判別する判別手段と、該判別手段により、受信した店舗情報に含まれる店舗ジャンル情報が保存手段に保存している店舗ジャンル情報と一致したと判断される場合、該店舗情報を表示する表示手段とを備えるものである。
【００１４】
例えば、変換手段は、入力された上記嗜好情報から関連する店舗ジャンル情報に変換するための更新可能な変換テーブルを有するようになされる。また、判別手段の判別結果に基づいて、一致した店舗ジャンル情報が存在する場合、その旨を報知するアラーム手段をさらに備える。また、判別手段により、受信した店舗情報に含まれる店舗ジャンル情報が上記保存手段に保存している店舗ジャンル情報と一致したと判断される場合、該店舗情報を蓄積する店舗情報蓄積手段をさらに備える。
【００１５】
また例えば、携帯端末装置は、店舗からの無線信号を受信している場合、その電波の到来方向を割り出せる方向探知手段と、方向探知手段により得られた電波の到来方向を表示する方向表示手段とをさらに備える。この店舗情報受信手段は、無指向性アンテナと、指向性アンテナと、無指向性アンテナと指向性アンテナを切り換える切り換え手段とを備え、店舗情報を受信するとき、切り換え手段は上記無指向性アンテナ側に切り換えられ、方向探知手段により上記店舗の方位を探知するとき、切り換え手段は上記指向性アンテナ側に切り換えられる。
【００１６】
この発明においては、情報発信装置を配置された店舗の操作者が店舗ジャンル情報と店舗の固有のＩＤを含む店舗情報を店舗情報入力手段により入力し、入力された店舗情報は店舗情報格納手段に格納され、送信手段は店舗情報を無線信号で自律的に送信する。
【００１７】
店舗情報を受信することが可能な携帯端末装置を所持するユーザが、嗜好情報入力手段を入力し、入力された嗜好情報は変換手段により店舗ジャンル情報に変換され、得られた店舗ジャンル情報は保存手段に保存される。店舗情報受信手段により店舗から送出される店舗情報が受信された時、判別手段により、受信した店舗情報に含まれる店舗ジャンル情報が保存手段に保存している店舗ジャンル情報と一致したと判断される場合、例えばアラーム手段により報知すると共に、該店舗情報を表示するようになされる。これにより、ユーザは嗜好情報を入力するだけで、この嗜好情報に関連する行動範囲にある店舗の情報のみを受け取ることが可能となる。
【００１８】
また、携帯端末装置の方向探知手段を利用し、受信した店舗情報に含まれる店舗ジャンル情報が保存手段に保存している店舗ジャンル情報と一致した店舗の方位を特定し、得られた電波の到来方向を表示することで、ユーザをその場所まで誘導することが可能となる。
【００１９】
また、店舗情報蓄積手段は、ユーザの嗜好に合致すると判断した店舗の情報のみを蓄積するため、後日その情報を元に、店舗に出向くことが出来、さらに店舗の情報発信装置からの電波が受信できる範囲に入れば、方向探知手段と方向表示手段によって容易にその店舗に辿り着くことが可能になる。
【発明の効果】
【００２０】
この発明によれば、店舗情報を無線信号で発信する情報発信装置と、上記店舗情報を受信する携帯端末装置とを有する店舗誘導システムにおいて、情報発信装置は無線信号で店舗情報を繰り返し送信し、ユーザが所持する携帯端末装置は店舗情報を受信し、ユーザが事前に入力した嗜好情報から、ユーザが興味を持ちそうな店舗ジャンルを割り出し、受信した店舗情報に含まれる店舗ジャンル情報と、保存している店舗ジャンル情報と一致するかを判別し、受信した店舗情報に含まれる店舗ジャンル情報が保存している店舗ジャンル情報と一致した場合、その店舗情報をユーザに知らせるものであり、低コストで、ユーザの嗜好に合致した行動範囲内にある店舗の情報を得ることができる。
【００２１】
また、例えば携帯端末装置の方向探知手段を利用し、受信した店舗情報に含まれる店舗ジャンル情報が保存手段に保存している店舗ジャンル情報と一致した店舗の方位を特定し、得られた電波の到来方向を表示することで、ユーザをその場所まで誘導することができる。
【発明を実施するための最良の形態】
【００２２】
以下、図面を参照しながら、この発明の実施の形態について説明する。図１は、実施の形態としての店舗誘導システム１００の構成を示す図である。
【００２３】
図１に示すように、店舗誘導システム１００は、情報発信装置１０１と、携帯端末装置１０２とから構成されている。
【００２４】
情報発信装置１０１は、店舗に配置され、無線信号で予め入力された店舗情報を所定時間間隔で発信する装置である。図２は、情報発信装置１０１の構成例を示す図である。
【００２５】
図２に示すように、情報発信装置１０１は、入力部１１と、フラッシュメモリ１２と、表示部１３と、通信用メモリ１４と、マイクロプロセッサ１５と、ＭＡＣアドレス（Media Access Control address）付加部１６と、変調部１７と、送信部１８と、送信アンテナ１９とから構成されている。
【００２６】
入力部１１は、店舗情報入力手段として、例えばキーボードまたはタッチパネル等により構成され、店舗のＩＤ、ジャンル、店舗名、電話等店舗情報を入力することができる。
【００２７】
フラッシュメモリ１２は、店舗情報格納手段として、入力部１１から入力された店舗情報を格納することが可能とされる。また、このフラッシュメモリ１２には、制御プログラム情報が格納されている。
【００２８】
表示部１３は、例えばＬＣＤ（Liquid Crystal Display）からなり、入力部１１から入力された店舗情報を画面上に表示するようになされる。なお、表示部１３には、例えば、ＣＲＴ（Cathode-Ray Tube）、ＥＬディスプレイ（Electroluminescence display）などを用いてもよい。
【００２９】
図３は、店舗情報の表示例を示す図である。図３に示すように、表示部１３の画面上に、システム識別情報、店舗のＩＤ、店舗名、住所、電話、および他の情報が表示されている。
【００３０】
マイクロプロセッサ１５は、フラッシュメモリ１２に記憶された制御プログラム情報に従って、通信用メモリ１４をワークエリアとして使用しながら、情報発信装置１０１の全体の動作を制御する。
【００３１】
ＭＡＣアドレス付加部１６は、店舗情報にＭＡＣアドレスを付加する
変調部１７は、ＭＡＣアドレスが付加された店舗情報を変調し、送信部へ供給する。変調部１７は、例えば、ＤＳＳＳ（Direct Sequence Spread Spectrum）スペクトル拡散通信方式（直接拡散方式）を採用する。ノイズに強いＤＳＳＳ無線通信方式を採用することにより、信頼性の高いデータ転送を提供する。
【００３２】
送信部１８は、送信手段として、アンテナ１９を介して予め入力された店舗情報を所定時間間隔で送信する。送信部１８が用いる送信プロトコルは、例えばＩＥＥＥ８０２．１１ｂ準拠の方法を使用する。ＩＥＥＥ８０２．１１ｂの規格では２．４ＧＨｚ帯のマイクロ波の周波数を用いており、反射を繰り返した場合の減衰量が大きく、一方で電波の直進性が高い性質をもつ帯域である。また、規格上高周波出力が抑えられているので、電波の到達距離は屋外でも数百メートル程度に抑えられる。これらの性質により、携帯端末装置１０２側で指向性が鋭いアンテナで受信した場合、電波の到来方向を特定することができる。
【００３３】
また、パケットごとの入力レベルを測定することが可能なので、同じチャンネルの他局が存在していてもＩＤで、所望の情報発信装置１０１が送出する信号を識別し、その到来方向を特定することも可能である。
【００３４】
情報発信装置１０１において、店舗情報が入力された場合、電源を入れるとマイクロプロセッサ１５は通信用メモリ１４の情報を読み込み、８０２．１１ｂのプロトコルで店舗情報をブロードキャストモードで繰り返し送信する設定で起動する。ブロードキャストモードは通信の相手方を特定せず、この規格の変調信号を受信する全ての受信装置を通信の相手方とする設定である。
【００３５】
携帯端末装置１０２は、情報発信装置１０１から送信される店舗情報を受信するための端末装置である。図４は、携帯端末装置１０２の構成例を示す図である。
【００３６】
図４に示すように、携帯端末装置１０２は、受信アンテナ２１，２２と、切り替えスイッチ２３と、受信部２４と、復調部２５と、ＭＡＣアドレス抽出部２６と、マイクロプロセッサ２７と、通信用メモリ２８と、入力部２９と、店舗ジャンル選択部３０と、嗜好情報格納部３１と、アラーム３２と、受信情報蓄積部３３と、方向探知部３４と、表示部３５とから構成されている。
【００３７】
受信アンテナ２１は、店舗情報を受信するためのアンテナで、例えば無指向性のダイバーシティアンテナが用いられている。受信アンテナ２２は、店舗方向探知用アンテナで、狭指向性を有するアンテナである。受信アンテナ２２は、例えば携帯端末装置１０２の先端に設けられる。
【００３８】
通常、携帯して待ち受け使用する携帯端末装置１０２は電波の到来方向が決まっていない為、あらゆる方向からの電波を受信できることが望ましい。そこで、通常使用時はダイバーシティアンテナ２１を使用することにより、無指向性のアンテナ特性を持たせた使用形態とする。一方で、電波の到来方向を特定する方向探知を行いたいときは、アンテナに指向性が有る方が望ましい。そこで、狭指向性を有する受信アンテナ２２を使用する。
【００３９】
切り替えスイッチ２３は、受信アンテナ２１と受信アンテナ２２を切り替えるスイッチである。店舗情報を受信するとき、切り替えスイッチ２３を受信アンテナ２１側に切り替え、店舗方向を探知するとき、切り替えスイッチ２３を受信アンテナ２２側に切り替える。このように、受信時の目的によって、切り替えスイッチ２３を用いてアンテナを選択することが可能である。
【００４０】
受信部２４は、受信アンテナ２１，２２を介して情報発信装置１０１から送信される店舗情報を受信するものである。受信部２４で受信された受信信号は復調部２５で復調される。復調部２５は、ＤＳＳＳ（Direct Sequence Spread Spectrum）スペクトル拡散通信方式（直接拡散方式）を採用する。
【００４１】
ＭＡＣアドレス抽出部２６は、受信信号に含まれるＭＡＣアドレスを抽出するためのものである。また、マイクロプロセッサ２７は、フラッシュメモリ１２に記憶された制御プログラム情報に従って、通信用メモリ２８をワークエリアとして使用しながら、携帯端末装置１０２の全体の動作を制御する。
【００４２】
入力部２９は、嗜好情報入力手段として、例えばキーボードまたはタッチパネル等により構成され、嗜好情報をキーワードで入力することができる。
【００４３】
店舗ジャンル選択部３０は、ユーザが入力した嗜好情報のキーワードを店舗ジャンルに変換するものである。この店舗ジャンル選択部３０は、入力された上記嗜好情報から関連する店舗ジャンル情報に変換するための変換テーブルを有する。この変換テーブルは新たな変換テーブルと交換可能、即ち変換テーブルは更新可能である。
【００４４】
嗜好情報格納部３１は、店舗ジャンル選択部３０により得られた店舗ジャンル情報を格納するためのメモリである。
【００４５】
アラーム３２は、ブザーなどからなり、店舗情報を受信する際に、有益な店舗情報が受信されたことをユーザに音で報知するようになされる。
【００４６】
受信情報蓄積部３３は、店舗情報蓄積手段として、受信された店舗情報を保存することができる。この受信情報蓄積部３３は、ユーザの嗜好に合致すると判断した店舗情報のみを蓄積するため、後日その情報を元に、店舗に出向くことが出来、さらに店舗の情報発信装置からの電波が受信できる範囲に入れば、方向探知手段と方向表示手段によって容易にその店舗に辿り着くことが可能になる。
【００４７】
方向探知部３４は、方向探知手段として、選択された店舗情報の電波の到来方向を探知し、店舗方位を定めることができる。例えば、方向探知部３４は、ジャイロコンパスが使用され、受信した無線信号のレベルとジャイロコンパスが観測した方向と関連付けて、店舗の方位を確定するようになされる。
【００４８】
表示部３５は、例えばＬＣＤ（Liquid Crystal Display）からなり、入力部２９から入力された嗜好情報および受信された店舗情報を画面上に表示するようになされる。なお、表示部３５には、例えば、ＣＲＴ（Cathode-Ray Tube）、ＥＬディスプレイ（Electroluminescence display）などを用いてもよい。
【００４９】
図５は、携帯端末装置１０２における受信情報の表示例を示す図である。図５（ａ）は、店舗ジャンル情報に合致した店舗名の表示例である。図５（ｂ）は、店舗情報の表示例である。図５に示すように、店舗情報を受信する場合、店舗ジャンル情報に合致した店舗の店舗名をリストして表示され、このリスト中の所定店舗を選択すると、該店舗の店舗情報が表示される。
【００５０】
また、表示部３５は、方向表示手段として、矢印で店舗の方位を表示し、この矢印の長さは店舗情報の受信強度レベルを表す。例えば、図５（ｂ）に示す表示画面に「方向表示」という選択ボタンが表示されている。この選択ボタンを選択すると、この店舗の方向を検知し、画面に表示される。なお、ここで、画面に表示される選択ボタンの代わりに、入力部２９にある他の操作キーを用いて指示してもよい。
【００５１】
図６は、店舗方向表示例を示す図である。図６に示すように、表示部３５の画面上に、矢印で店舗の方向を示している。また、この矢印の長さはこの店舗から受信した信号のレベルを示している。矢印の長さが長いほど示している店舗の方向が正確であり、また店舗が近いことを表す。
【００５２】
以下、図面を参照しながら、店舗誘導システム１００の動作について説明する。図７は、情報発信装置１０１の動作例を示すフローチャートである。図８は、携帯端末装置１０２の動作例を示すフローチャートである。
【００５３】
情報発信装置１０１において店舗情報を送信する際に、図７に示すように、まず、ステップＳ１１で、店舗側の操作者（例えば、店主）が店舗情報を入力する。ここで、入力手段１１を用いて、店舗のＩＤ、ジャンル、店舗名、電話番号、サービス内容等情報を入力する。
【００５４】
次に、ステップＳ１２で、入力された店舗情報を記憶する。この場合、入力された店舗情報をフラッシュメモリ１２に記憶する。そして、ステップＳ１３で、店舗情報を送信するか否かを判断する。ここで、操作者が店舗情報を送信する指示を入力すると、ステップＳ１４で、店舗情報を送信する。送信アンテナ１９を介して予め入力された店舗情報を所定時間間隔で送信する。
【００５５】
そして、ステップＳ１５で、送信を終了するか否かを判断する。ここで、送信を終了しない指示が入力される場合は、ステップＳ１４に戻り、店舗情報の送信を継続して行う。一方、送信を終了する指示が入力される場合は、送信動作を終了する。
【００５６】
なお、ステップＳ１３で、送信しない指示が入力されると、ステップＳ１６へ進む。ステップＳ１６で、店舗情報を再入力するか否かを判断する。ここで、再入力する場合は、ステップＳ１１に戻り、上述した動作を繰り返す。なお、再入力しない場合は、動作を終了する。
【００５７】
携帯端末装置１０２において店舗情報を受信する際に、図８に示すように、まず、ステップＳ２１で、入力された嗜好情報を店舗ジャンルに変換して保存する。ここで、ユーザが入力部２９より入力された嗜好情報を、変換テーブルを参照して店舗ジャンルに変換し、得られた店舗ジャンルを嗜好情報格納部３１に記憶する。
【００５８】
次に、ステップＳ２２で、受信待機状態になる。そして、ステップＳ２３で、店舗情報を受信するか否かを判断する。ここで、ユーザにより店舗情報を受信する指示を入力されると、店舗情報を受信すると判断され、次のステップ２４で、店舗情報の受信を行う。
【００５９】
受信開始後、ステップＳ２５で、受信した信号は当該システムで定義された情報信号であるかを判断する。ステップＳ２５で、受信した信号は当該システムで定義された情報信号ではないと判断される場合には、ステップＳ３８で、受信情報を無視し、ステップＳ２４に戻り、受信を継続して行う。一方、受信した信号は当該システムで定義された情報信号であると判断される場合には、ステップＳ２６で、店舗ジャンル情報を抽出する。ここで、受信された店舗情報に含まれるジャンル情報を抽出する。
【００６０】
次に、ステップＳ２７で、抽出された店舗ジャンル情報はユーザが入力した嗜好情報に対応する店舗ジャンルと一致するか否かを判別する。店舗ジャンル情報が一致したと判断された場合は、ステップＳ２８で、店舗ジャンル情報が一致した店舗情報を受信情報蓄積部３３に保存する。
【００６１】
次に、ステップＳ２９で、アラームを駆動する。ここで、アラームにより有益な店舗情報が受信されたことをユーザに報知する。そして、ステップＳ３０で、店舗ジャンル情報が一致した店舗の店舗名を表示する（図５（ａ）参照）。
【００６２】
次に、ステップＳ３１で、店舗名が選択されたか否かを判断する。ここで、ユーザにより表示されている店舗名を選択すると、次のステップＳ３２で、選択された店舗の店舗情報を表示する（図５（ｂ）参照）。
【００６３】
店舗情報が表示されている場合、ステップＳ３３で、店舗の所在を認識するか否かを判断する。ここで、例えばユーザにより方向表示をする指示が入力されると、ステップＳ３４で、アンテナの切り替えを行う。この場合、装置の受信アンテナを受信アンテナ２１から指向性のよい受信アンテナ２２に変更する。
【００６４】
次に、ステップＳ３５で、方向探知を行う。この場合、携帯端末装置１０２を持つユーザが受信状態を保ちながら、電波が到来してくると思われるあらゆる方向に受信アンテナ２２を向けるように行う。店舗の方向が検出されると、受信信号のレベルの測定値とジャイロコンパスが観測した方向とを関連つけて、携帯端末装置１０２の現在の方向を考慮し、電波の到来方向を判定する。そして、ステップＳ３６で、店舗方向を表示する（図６参照）。この状態でユーザを店舗まで誘導する。
【００６５】
最後、ステップＳ３７で、受信を終了するか否かを判断する。終了しない場合は、ステップＳ２２に戻り、上述した動作を繰り返す。受信終了の場合は、携帯端末１０２の動作を終了する。
【００６６】
このように本実施の形態においては、情報発信装置１０１は、店舗の固有のＩＤと、該店舗が属するジャンル情報とを含む店舗情報を繰り返し送信する。携帯端末装置は、ユーザが入力した嗜好情報を店舗ジャンルに変換して保存し、情報発信装置からの店舗情報を受信する際に、受信した店舗情報に含まれる店舗ジャンル情報と、保存している店舗ジャンル情報と一致するかを判別し、受信した店舗情報に含まれる店舗ジャンル情報が保存している店舗ジャンル情報と一致したと判断される場合、アラームが動作すると共に該店舗情報を画面上に表示するようになされる。
【００６７】
これにより、情報発信装置１０１の電波が届く範囲に入った場合のみ、その情報が携帯端末装置１０２に伝わるので、ユーザの行動範囲以外の店舗に関する情報を無駄に受け取ることはない。よってユーザが入力した嗜好情報に関連する行動範囲内にある店舗の情報のみを受け取ることができ、さらにその店舗の方位を特定し、ユーザをその場所まで誘導することができる。
【００６８】
また、ユーザの嗜好に合致すると判断された店舗情報のみを蓄積することができるため、後日この情報を元に、店舗に出向くことができ、さらに店舗の情報発信装置１０１からの電波が受信できる範囲に入れば、画面に表示される店舗方向で容易にその店舗に辿り着くことが可能になる。
【００６９】
また、店舗情報を受信するとき、切り換えスイッチは無指向性アンテナ側に切り換えられ、また店舗の方位を探知するとき、切り換えスイッチは指向性アンテナ側に切り換えられる。これにより、店舗情報の受信と店舗方位の検知を行う際に、共に良い受信効果が得られる。
【００７０】
また、店舗側にとっても店舗が路地の奥に所在していた場合、表通りに看板を出すのはコスト面や、敷地の問題が有るが、情報発信装置１０１を設置すればコスト面の負担は少量で済む。また、インターネットに接続する等のコストは必要無く、商品に興味がありそうな人に対して効果的に広告できる。
【００７１】
なお、上述実施の形態においては、店舗誘導システム１００は固定店舗に情報発信装置１０１を設置し、移動するユーザが携帯端末装置１０２を持ち、ユーザを店舗まで誘導するものとしたが、これに限定されるものではない。例えば、各家庭に携帯端末装置１０２が設置されている場合、移動店舗が情報発信装置１０１を搭載して移動すれば、従来のように拡声器で呼びかけることなく、家庭で移動店舗が来たことが確認できる。
【００７２】
また、上述実施の形態において、自宅に情報発信装置１０１を設置し、入力した情報発信するようにしてもよい。この場合、趣味などの賛同者を近隣に通りかかる不特定多数の者に募ることもできる。
【００７３】
また、上述実施の形態において、ユーザの嗜好情報キーワードから関連店舗ジャンルを選択する変換テーブルの代わりに、関連用語への変換テーブルを用い、関連用語が情報発信装置１０１から受信された場合にこれをユーザに知らせるようにしてもよい。
【産業上の利用可能性】
【００７４】
この発明に係る電子機器、メニュー表示管理方法および制御プログラムは、表示画面を有し、メニュー画面を切り替えて機能設定を行う電子機器に適用して好適なものとなる。
【図面の簡単な説明】
【００７５】
【図１】実施の形態の店舗誘導システムの構成例を示す図である。
【図２】情報発信装置の構成例を示す図である。
【図３】店舗情報の表示例を示す図である。
【図４】携帯端末装置の構成例を示す図である。
【図５】携帯端末装置の受信情報の表示例を示す図である。
【図６】携帯端末装置の店舗方向の表示例を示す図である。
【図７】情報発信装置の動作例を示すフローチャートである。
【図８】携帯端末装置の動作例を示すフローチャートである。
【符号の説明】
【００７６】
１１，２９・・・入力部、１２・・・フラッシュメモリ、１３,３５・・・表示部、１４，２８・・・通信用メモリ、１５，２７・・・マイクロプロセッサ、１６・・・ＭＡＣアドレス付加部、１７・・・変調部、１８・・・送信部、１９・・・送信アンテナ、２１,２２・・・受信アンテナ、２３・・・切り替えスイッチ、２４・・・受信部、２５・・・復調部、２６・・・ＭＡＣアドレス抽出部、３０・・・店舗ジャンル選択部、３１・・・嗜好情報格納部、３２・・・アラーム、３３・・・受信情報蓄積部、３４・・・方向探知部、１００・・・店舗誘導システム、１０１・・・情報発信装置、１０２・・・携帯端末装置
【図１】
2005222407.tif 000003
【図２】
2005222407.tif 000004
【図３】
2005222407.tif 000005
【図４】
2005222407.tif 000006
【図５】
2005222407.tif 000007
【図６】
2005222407.tif 000008
【図７】
2005222407.tif 000009
【図８】
2005222407.tif 000010